(57)【要約】【課題】身体に保持させる際の周長さを調整でき、体格の異なる種々の人に適応できるとともに、身体の各部に適応できる温熱具の提供を目的とする。【解決手段】温熱材料３を収納した内袋４と、その内袋４を出し入れ可能に収納した外袋５とを備えている。内袋４の両端側には、夫々、先細部４２を備えている。また、内袋４の一端側には、係止片６１が設けられ、内袋４の他端側には、長尺部材６２を備えている。又、この長尺部材６２は、長手方向に沿って複数の係止孔６４ａ〜６４ｄを備え、係止片６１と係脱自在に係止できるようになっている。【選択図】図１
2009261491.tif 000002
【特許請求の範囲】
【請求項１】
温熱材料を収納した変形自在な袋体を身体の一部に巻き付けるようにして、その袋体の両端側を互いに係止することにより当該身体の一部に保持させるようにした温熱具であって、
前記袋体は、細長状に形成され、
前記袋体の長手方向の一端側には、係止片が設けられ、その他端側には、前記係止片と係脱自在に係止する複数の係止孔を有する折り曲げ自在な長尺部材が設けられ、
前記長尺部材は、その長手方向の一端が袋体に連結され、
前記複数の係止孔は、前記長尺部材の長手方向に沿って形成されていることを特徴とする温熱具。
【請求項２】
前記長尺部材は、並設された２つの紐部材から構成され、
前記複数の係止孔は、前記２つの紐部材における長手方向に間隔を隔てた複数個所を夫々、互いに連結することによって、それらの紐部材の間に形成されていることを特徴とする請求項１に記載の温熱具。
【請求項３】
前記袋体は、温熱材料を収納した内袋と、その内袋を出し入れ可能に収納した外袋とを備え、
前記外袋は、その長手方向の両端側夫々に、この外袋の内部から外部に貫通するようにあけられた貫通孔を備え、
前記係止片及び長尺部材は、前記内袋に設けられているとともに、前記内袋が外袋に収納される際に前記貫通孔から外袋の外部に出されるように構成されていることを特徴とする請求項１又は２に記載の温熱具。
【請求項４】
前記内袋は、その長手方向の両端側に、夫々、端部側に漸次細くなるように形成された先細部を備えていることを特徴とする請求項３に記載の温熱具。
【請求項５】
前記外袋の長手方向の両端側夫々に、前記内袋の先細部と係脱自在に係止する環状係止部材が設けられ、
前記環状係止部材は、前記内袋が外袋に収納されるに際して内袋の端部を通して先細部の外周と係止するように構成されていることを特徴とする請求項４に記載の温熱具。
【発明の詳細な説明】
【技術分野】
【０００１】
本発明は、身体の一部に当てて当該一部を温めるのに用いられる温熱具に関するものである。
【背景技術】
【０００２】
温熱材料を収納した変形自在な袋体を身体の一部に巻き付け、その袋体の両側方側夫々に設けられた係止部材同士を係止することにより前記身体の一部に保持させて当該一部を温めるようにした温熱具は、従来から知られている。このような温熱具として、例えば本出願人が提案した温熱パッドがある。この温熱パッドは、両端に互いに係止する面ファスナーが設けられており、袋体を身体の一部に巻き付けるようにして、その状態で面ファスナー同士を係止することにより、当該一部に保持させることができるようにしたものである（特許文献１、図７参照）。
【特許文献１】特許第３１０８０６４号公報
【発明の開示】
【発明が解決しようとする課題】
【０００３】
しかしながら、上記特許文献１に記載のものにおいては、面ファスナー同士を係止した状態での温熱パッドの周長さ（径の大きさ）がほぼ一定となる。そのため、例えば面ファスナー同士を係止した際の温熱パッドの周長さを、平均的な人の首部にちょうど巻き付けることができる程度に設定しておくと、首部の細い人に対しては温熱パッドの周長さが首回りよりも長くなり、両者の間に隙間ができてしまう。その一方、首部の太い人に対しては、温熱パッドの周長さが首周りよりも短くなって、温熱パッドを首部に保持させ難く、体格の異なる種々の人に適応し難いという問題点がある。
【０００４】
又、上記のように温熱パッドを首部にちょうど巻き付けることができる程度に設定しておくと、例えば肘に巻き付けた場合には、温熱パッドの周長さが肘よりも長くなり、両者の間に隙間ができてしまう。一方、例えば足の太ももに、その温熱パッドを巻き付けようとすると、温熱パッドの周長さが太ももよりも短く、太ももに温熱パッドを保持させ難く、身体の各部に適応し難いという問題点がある。
【０００５】
本発明は、身体に保持させる際の周長さを調整でき、体格の異なる種々の人に適応できるとともに、身体の各部に適応できる温熱具の提供を目的とする。
【課題を解決するための手段】
【０００６】
本発明は、以上の実情に鑑み提案されたもので、次の特徴を有する温熱具を提供することにより、上記課題を解決する。本願の請求項１記載の発明は、温熱材料を収納した変形自在な袋体を身体の一部に巻き付けるようにして、その袋体の両端側を互いに係止することにより当該身体の一部に保持させるようにした温熱具であって、前記袋体は、細長状に形成され、前記袋体の長手方向の一端側には、係止片が設けられ、その他端側には、前記係止片と係脱自在に係止する複数の係止孔を有する折り曲げ自在な長尺部材が設けられ、前記長尺部材は、その長手方向の一端が袋体に連結され、前記複数の係止孔は、前記長尺部材の長手方向に沿って形成されていることを特徴とする温熱具である。
【０００７】
請求項２に記載の発明は、請求項１に係る前記長尺部材は、並設された２つの紐部材から構成され、前記複数の係止孔は、前記２つの紐部材における長手方向に間隔を隔てた複数個所を夫々、互いに連結することによって、それらの紐部材の間に形成されていることを特徴とする温熱具である。
【０００８】
請求項３に記載の発明は、請求項１又は２に係る前記袋体は、温熱材料を収納した内袋と、その内袋を出し入れ可能に収納した外袋とを備え、前記外袋は、その長手方向の両端側夫々に、この外袋の内部から外部に貫通するようにあけられた貫通孔を備え、前記係止片及び長尺部材は、前記内袋に設けられているとともに、前記内袋が外袋に収納される際に前記貫通孔から外袋の外部に出されるように構成されていることを特徴とする温熱具である。
【０００９】
請求項４に記載の発明は、請求項３に係る前記内袋は、その長手方向の両端側に、夫々、端部側に漸次細くなるように形成された先細部を備えていることを特徴とする温熱具である。
【００１０】
請求項５に記載の発明は、請求項４に係る前記外袋の長手方向の両端側夫々に、前記内袋の先細部と係脱自在に係止する環状係止部材が設けられ、前記環状係止部材は、前記内袋が外袋に収納されるに際して内袋の端部を通して先細部の外周と係止するように構成されていることを特徴とする温熱具である。
【発明の効果】
【００１１】
本発明の請求項１によれば、袋体の長手方向の一端側に、係止片が設けられ、袋体の長手方向の他端側に、折り曲げ自在な長尺部材が設けられ、そして、この長尺部材に、その長手方向に沿って形成された複数の係止孔が備えられている。
【００１２】
こうすることにより、身体の各部に保持させる際、温熱具を身体の各部に応じた周長さにして適宜な係止孔に係止片を係止できる。従って、身体の首部、腕の各部、或いは足の各部等の周回り（径の大きさ）の異なる身体の各部に確実に巻き付けた状態に保持できる。
【００１３】
又、温熱具を身体の各部に巻き付け操作する際、係止片と長尺部材とを把持して行えば、巻き付け操作を容易に行うことができる。従って、係止片と長尺部材とを、温熱具の身体への巻き付け操作する際、操作把持部として機能させることができ、使用し易いものにできる。しかも、別途に操作把持部を設ける必要のないものにでき、低コストで製作できる。
【００１４】
請求項２によれば、複数の係止孔は、並設された２つの紐部材における長手方向に間隔を隔てた複数個所を夫々、互いに連結することによって、それらの紐部材同士間に形成されているため、複数の係止孔を、容易に低コストで製作できる。
【００１５】
請求項３によれば、袋体は、温熱材料を収納した内袋と、内袋を出し入れ可能な外袋とを備えたものとする。これにより、例えば使用によって外袋が汚れて洗うような場合には、温熱材料を内袋に入れた状態で外袋から取り出し、或いは入れることができ、外袋からの温熱材料の出し入れ操作を容易なものにできる。
【００１６】
又、係止片及び長尺部材は、内袋に設けられているとともに、内袋が外袋に収納される際に外袋の両端側に形成された貫通孔から外袋の外部に出されるように構成されている。これにより、例えば係止片と長尺部材とを互いに反対方向に引っ張れば内袋を長手方向に延ばすことができ、その状態で、身体の各部にあてがうことができる。従って、身体の首部等の全周に容易に温熱材料を当てることができる。
【００１７】
請求項４によれば、内袋は、その長手方向の両端側夫々に、端部側に漸次細くなるように形成された先細部を備えている。これにより、先細部によって、内袋を、例えば外袋に設けた出し入れ口から容易に入れることができる。又、内袋を外袋に入れて収納した後は、先細部によって、全体を湾曲状に形成し易いものにでき、身体の首部や肘等に沿わせ易く、巻き付け操作の容易なものにできる。
【００１８】
請求項５によれば、外袋に、内袋が外袋に収納されるに際して内袋の端部を通して先細部の外周と係止するように構成された環状係止部材が設けられている。
【００１９】
こうすることにより、例えば環状係止部材に通した内袋の両端部夫々に設けられた係止片と長尺部材とを、互いに反対方向に引っ張り、内袋を長手方向に延ばす。その際、内袋の先細部が端部側に漸次細く、換言すれば中央部側に漸次太くなっているため、環状係止部材が内袋の先細部に係止し、外袋も内袋と同方向に引っ張られる。これにより、外袋を、皺のない状態に延ばすことができる。又、使用に際しても外袋と内袋とが互いにずれ動くのを防止でき、皺のでき難いものにできる。
【００２０】
又、温熱材料を、内袋の先細部から中央部側に移動させた状態にすれば、例えば首部の後部側の一部だけを温めるのに使用できる。そして、そのようにして使用するに際し、例えば温熱材料を内袋の先細部から中央部側に移動させた後、又は移動させながら、環状係止部材を外袋の端部と共に、中央部側に送るようにして、内袋の先細部のほぼ全体を通す。
【００２１】
これにより、中央部側に移動した温熱材料は、環状係止部材によって、先細部へ戻るのを阻止される。従って、環状係止部材を、先細部への温熱材料の戻りを阻止するストッパーとして機能させることができ、温熱材料を中央部側に移動させた状態に維持できる。よって、首部の後部側等の一部だけを温めるのに使用する場合に、使用し易いものにできる。
【発明を実施するための最良の形態】
【００２２】
以下、本発明を実施するための最良の形態について、図面を参照しながら詳細に説明する。図１は、本発明の一実施の形態の温熱具の正面図、図２は、その平面図、図３は、図１のＩＩＩ−ＩＩＩ線断面図、図４は、外袋を外した状態の正面図、図５は、外袋を外した状態の平面図である。
【００２３】
本発明の温熱具１は、図１、図２に示すように袋体２と、袋体２内に収納された温熱材料３とを備えている。袋体２は、温熱材料３を収納した内袋４と、その内袋４を収納した外袋５とを備えている。
【００２４】
内袋４は、図４に示すように細長状のものから構成されている。内袋４の内部には、温熱材料３を収納した材料収納部４１が備えられている（図３参照）。又、内袋４は、長手方向の左右両端側に夫々、略左右対称形状に形成された先細部４２が備えられているとともに、それらの先細部４２の間の中央部に、胴部４３が備えられている。
【００２５】
先細部４２は、夫々、胴部４３から左端部４０ａ、右端部４０ｂにかけての部分に、胴部４３から左端部４０ａ側、右端部４０ｂ側に漸次内部の材料収納部４１の断面積を小さくして先細になるように形成されている。
【００２６】
そして、このように構成された内袋４の材料収納部４１は、温熱材料３が収納された後、全周部が縫製されることによって閉じられている。従って、内袋４に収納された温熱材料３は、内袋４の両端側の先細部４２から中央部側の胴部４３側には、内袋４の材料収納部４１の断面積が漸次大きくなるために、移動し易い。一方、胴部４３から先細部４２側には、材料収納部４１の断面積が漸次小さくなるために、上記先細部４２から胴部４３側に移動させる場合に比して移動し難いようになっている。
【００２７】
尚、この実施形態の内袋４は、弾性を有するものから構成されており、長手方向の長さが５００ｍｍ程度、胴部４３の上下方向の長さが１００ｍｍ程度のものから構成されている。又、内袋４の両端部（先細部４２の先端）の上下方向の長さは５０ｍｍ程度とされている。
【００２８】
又、この内袋４の長手方向の左端側（一端側）には、係止片６１が設けられ、右端側（他端側）には、係止片６１と係脱自在に係止する長尺部材６２が設けられている。係止片６１は、この実施形態では、所定長さの丸棒状のものから構成されている。又、係止片６１の両端は、漸次先端側に径が小さくなるように形成されている。
【００２９】
そして、この係止片６１は、折り曲げ自在な紐部材６１ａを介して内袋４に取り付けられている。これにより、係止片６１は、紐部材６１ａによって、把持し易くなっているとともに、内袋４に対して自在に長手方向の向きを変え得るようになっている。
【００３０】
長尺部材６２は、この実施形態では、並設された２つの紐部材６３により構成されている。又、この実施形態における紐部材６３は、１本の細紐を折り返してその両端を、内袋４の端部に連結することにより、互いに並設されたものとされている。
【００３１】
又、長尺部材６２を構成した紐部材６３は、夫々、折り曲げ自在な布片から構成されている。従って、長尺部材６２は、その長手方向を、内袋４の長手方向に対して一致させ、又は、所定の角度をなした状態にして延ばすことができるようになっている。
【００３２】
又、長尺部材６２は、その長手方向に沿って形成された複数の係止孔６４ａ〜６４ｄを備えている。この実施形態では、内袋４から順次距離が離れるように形成された４つの係止孔６４ａ〜６４ｄから構成されている。
【００３３】
より詳しくは、上記２つの紐部材６３には、その長手方向に、上記係止片６１を挿通させ得る間隔を隔てた複数個所を夫々、互いに縫製して連結部６４が形成されている。これにより、それらの紐部材６３の間に、内袋４側から順次、第１係止孔６４ａ、第２係止孔６４ｂ、第３係止孔６４ｃ及び第４係止孔６４ｄが形成されている。
【００３４】
次に、外袋５について説明する。この実施形態の外袋５は、図６に示すように、内袋４と略同じ形状を呈している。又、この実施形態の外袋５は、その長手方向の長さが内袋４のそれよりもやや短くなるように構成されている。
【００３５】
又、外袋５は、その長手方向の両端に、夫々、内部から外部に貫通する貫通孔５１を備えている。又、それらの長手方向の両端には、夫々、環状係止部材５２が設けられている。
【００３６】
環状係止部材５２は、内袋４の先細部４２と係脱自在に係止するためのもので、この実施形態では、細い糸状の紐部材の両端を外袋５の貫通孔５１の近傍における内面に連結することによって、内袋４の端部が入る程度の大きさの環状に形成されている。
【００３７】
又、外袋５における長手方向の略中央には、内袋を出し入れするための出し入れ口５３が備えられている。
【００３８】
次に、温熱材料３について説明する。この実施形態では、温熱材料３として、二酸化ケイ素（ＳｉＯ２）を原材料とした粒状のシリカゲルが用いられている。シリカゲルは、大気中の水分を吸着する。実験結果では、相対湿度が３０％のとき、シリカゲル１００グラムに対して水分１８グラムを保有し、相対湿度６０％のとき、シリカゲル１００グラムに対して水分２９グラムを保有する。又、相対湿度９０％のとき、シリカゲル１００グラムに対して水分３５グラムを保有する。
【００３９】
従って、水分を吸着したシリカゲルを電子レンジ等の加熱手段によって加熱すると、電子レンジの高周波がシリカゲル中の水分温度を上げて蒸気熱を発生する。蒸気熱は適当な湿度を含んだ湿熱を有することとなるので、この湿熱を身体の患部に当てると、穏やかに患部を温めることができ、快適な温熱治療を患部に施すことができる。
【００４０】
このようなシリカゲルは、内袋４の材料収納部４１に収納されている。材料収納部４１に収納されるシリカゲルの量は、特に限定されないが、この実施形態では、図８に示すように内袋４を湾曲状に形成でき、且つ、図５の２点鎖線で示すように、材料収納部４１の先細部４２が空になって、収納したシリカゲルの全部が胴部４３に入る程度の量にしている。
【００４１】
以上のように構成された本発明の温熱具の使用方法について説明する。まず、材料収納部４１に温熱材料３を収納した内袋４を、外袋５にセットする場合から説明する。
【００４２】
内袋４の長手方向のいずれか一方の端部を、外袋５の出し入れ口５３から入れていく。そして、内袋４の両端部４０ａ、４０ｂを、夫々、図１に示すように外袋５の貫通孔５１から出す。又、その貫通孔５１から出す際、図７に示すように、環状係止部材５２に、内袋４の左端部４０ａ及び係止片６１を入れるようにして通す。同様に、内袋４の右端部４０ｂを、環状係止部材５２に通すようにして外袋５の貫通孔５１から出す（図１参照）。
【００４３】
これにより、内袋４を外袋５にセットできる。この状態で、図１に示すように、例えばそれらの両端部４０ａ、４０ｂ夫々に設けた係止片６１と長尺部材６２とを、互いに反対方向（図１のＸ−Ｘ方向）に引っ張り、内袋４を長手方向に延ばす。その際、内袋４の先細部４２夫々に環状係止部材５２が係止し、外袋５も内袋４と同方向に引っ張られる。これにより、外袋５を、皺のない状態に延ばすことができる。
【００４４】
次に、この状態で、温熱具１を温める。温熱具１を温めるには、例えば加熱手段としての電子レンジを用いて温めることができる。例えば５００Ｗから７００Ｗで約１分間加熱することにより使用に適した程度に温めることができる。
【００４５】
尚、気温２８度、湿度７５％の下で、出力６００ワットの電子レンジで１分間加熱すると、その直後の袋体２の表面温度は、約６０度に温められており、又、３０分経過後も約３４度を維持していた。
【００４６】
そして、この温熱具１によって、身体の一部、例えば首部の全周を温める場合は、温熱材料を、例えば内袋４の胴部４３から両先細部４２にかけての長手方向の全体にほぼ満遍なく入れた状態にする（図１、図２、図５の状態）。
【００４７】
そして、その状態から、係止部６１と長尺部材６２とを夫々把持して、例えば図８に示すように、首部Ｋの後部側に、外袋５の前面又は後面を当てるようにして、袋体２の左右両端側を前方側に回す。その状態で、係止片６１を、例えば長尺部材６２の第２係止孔６４ｂに入れる。これにより、首部Ｋの全周に温熱具１を巻いた状態で保持できる。
【００４８】
その際、内袋４の長手方向の両端側に、先細部４２を備えているため、温熱具１を首部Ｋに沿って湾曲状（円形状）に形成し易く、温熱具１を首部Ｋの全周に密接させ易いものにできる。又、内袋４が弾性を有するため、この弾性によっても温熱具１を首部Ｋの全周に密接させ易いものにできる。従って、温熱具１によって、首部Ｋの全周をほぼ均等に温めることができる。
【００４９】
又、例えば首周りが小さく、温熱具１と首部Ｋとの間に隙間ができるような場合は、例えば係止片６１を、長尺部材６２の第１係止孔６４ａに入れる。これにより、温熱具１の周長さを短く（径を小さく）でき、首周りが小さい人でも隙間ができるようなことを防止できる。
【００５０】
一方、首周りが大きく、係止片６１を第２係止孔６４ｂに入れた状態では、首部が締まったような状態になる場合は、係止片６１を、長尺部材６２の第３係止孔６４ｃ又は第４係止孔６４ｄに入れる。これにより、温熱具１の周長さを長く（径を大きく）でき、首周りが大きい人でも首部を締めることなく使用できる。
【００５１】
又、例えば身体の腕の肘等の各部、足の太ももや膝などの各部、或いは肩部、更には、腰部を温める場合も、上記と同様にして行うことができる。
【００５２】
一方、例えば首部や肘等の後部側の一部だけを温める場合は、図９に示すように、例えば先細部４２の温熱材料３を胴部４３に移す。その際、材料収納部４１の断面積が先細部４２から胴部４３側に漸次大きくなるため、温熱材料３の移動を容易に行うことができる。
【００５３】
又、移動させた後は、材料収納部の断面積が胴部４３から先細部４２側に漸次小さくなるため、温熱材料３は、先細部４２側に戻り難く、胴部４３に入った状態を維持し易いものにできる。
【００５４】
又、その場合に、先細部４２の温熱材料３だけを移動させて使用しても良いが、次のようにして使用することもできる。例えば図１０に示すように温熱材料３を内袋４の先細部４２から中央部側の胴部４３側に移動させた後、又は移動させながら、環状係止部材５２を外袋５の端部と共に中央部側の胴部４３側に送るようにして、内袋４の先細部４２のほぼ全体を環状係止部材５２に通す。
【００５５】
このようにすれば、内袋４の中央部側に移動させた温熱材料は、環状係止部材５２によって、先細部４２へ戻るのを阻止される。従って、環状係止部材５２を、先細部４２への温熱材料３の戻りを阻止するストッパーとして機能させることができ、温熱材料３を中央部側に移動させた状態に維持できる。
【００５６】
そして、その状態で、上記と同様にして首部等に装着する。これにより、首や肘等の一部だけを集中的に温めることできる。
【００５７】
尚、上記実施形態では、係止片６１を係止する長尺部材６２を紐部材から構成したが、この形態のものに限らず、例えば長尺部材６２を、所定幅の帯状体から構成し、帯状体に複数の係止孔を形成するようにしても良く、適宜変更できる。
【００５８】
また、上記実施形態では、係止孔を４つから構成しているが、少なくとも２つ形成しておけば良く、適宜変更できる。
【００５９】
又、上記実施形態では、袋体２を、内袋４と外袋５とから構成しているが、外袋５を有しないものとしても良い。又、袋体２を、内袋４と外袋５とから構成する場合に、上記実施形態では、外袋５に環状係止部材５２を設けたものとしているが、環状係止部材５２を設けないものとしても良く、適宜変更できる。
【００６０】
また、上記実施形態では、内袋４及び外袋５を、弾性を有するものから構成しているが、例えば弾性を有しない布から構成しても良く、適宜変更できる。
【００６１】
又、上記実施形態では、長尺部材６２は、弾性を有しないものから構成しているが、弾性を有するものから構成しても良く、適宜変更できる。
【００６２】
また、上記実施形態では、温熱材料として、シリカゲルを用いているが、シリカゲルを用いる形態のものに限らず、例えば稲、麦、稗、粟等の粒状の穀類を用いることもでき、穀類を、シリカゲルに代えて、或いは、シリカゲルと共に用いても良く、適宜変更できる。
【００６３】
又、本発明の温熱具は、身体に当てる際、肌に直接当てても良いが、衣服の上から当ててもほぼ同様の効果を得ることができる。
【図面の簡単な説明】
【００６４】
【図１】本発明の一実施の形態の温熱具の正面図である。
【図２】その温熱具の平面図である。
【図３】図１のＩＩＩ−ＩＩＩ線拡大断面説明図である。
【図４】外袋を外した状態の正面図である。
【図５】外袋を外した状態の平面図である。
【図６】外袋の斜視図である。
【図７】内袋の先細部を環状係止部材で係止した状態の要部拡大断面図である。
【図８】温熱具を、身体の首部に巻き付けて係止片を係止孔に係止した状態の拡大平面図である。
【図９】温熱材料を先細部から胴部に移動させた状態の平面図である。
【図１０】温熱材料を内袋の先細部から胴部に移動させるとともに、環状係止部材を内袋の先細部から胴部に移動させた状態の正面図である。
【符号の説明】
【００６５】
１    温熱具
２    袋体
３    温熱材料
４    内袋
５    外袋
４２    先細部
５２    環状係止部
６１    係止部
６２    長尺部材
【図１】
2009261491.tif 000003
【図２】
2009261491.tif 000004
【図３】
2009261491.tif 000005
【図４】
2009261491.tif 000006
【図５】
2009261491.tif 000007
【図６】
2009261491.tif 000008
【図７】
2009261491.tif 000009
【図８】
2009261491.tif 000010
【図９】
2009261491.tif 000011
【図１０】
2009261491.tif 000012